(57)【要約】【課題】ペンによる入力操作の際に、ペンを把持した手がタッチパネルに接触したことを起因とする誤入力をより抑制する、ことを目的とする。【解決手段】ノートＰＣは、指示体としてタッチペン及び指による入力操作を受け付けるタッチパネルディスプレイと、タッチパネルディスプレイへの接触が入力操作でないとするタッチ面積の閾値であるＰＲサイズを記憶するフラッシュメモリと、を備える。ノートＰＣは、タッチペンが使用される状態であるペンモードを認識した場合、ペンモードに応じたＰＲサイズであるペンモードＰＲサイズを設定する。【選択図】図７
2018032251.tif 000002
【特許請求の範囲】
【請求項１】
指示体としてペン及び指による入力操作を受け付けるタッチパネルと、
前記タッチパネルへの前記指示体の所定時間内の接触面積を検知し、前記接触面積が所定の閾値よりも大きい場合に、前記所定時間内の前記指示体の接触を入力操作として扱わない操作判定手段と、
前記閾値を記憶する記憶手段と、
前記ペンが使用される状態であるペンモードを認識する認識手段と、
前記認識手段によって前記ペンモードと認識された場合、前記閾値として前記ペンモードに応じた第１閾値を設定する設定手段と、
を備える情報処理装置。
【請求項２】
前記設定手段は、前記認識手段によって前記ペンモードと認識されていない場合、前記第１閾値よりも大きい第２閾値を設定する請求項１記載の情報処理装置。
【請求項３】
前記ペンを格納する格納手段と、
前記格納手段への前記ペンの格納の有無を検知する検知手段と、
を備え、
前記認識手段は、前記ペンが前記格納手段に格納されていないと前記検知手段によって検知された場合、前記ペンモードであると認識する請求項１又は請求項２記載の情報処理装置。
【請求項４】
前記タッチパネルへのユーザの指又は手の接触状態に応じて、ユーザ毎に前記第１閾値を校正する校正手段を備える請求項１から請求項３の何れか１項記載の情報処理装置。
【請求項５】
前記校正手段は、タッチパネルディスプレイに対してユーザの指先が接触した場合における、前記指先と前記タッチパネルとの接触面積の最大値を前記第１閾値とする請求項４記載の情報処理装置。
【請求項６】
前記校正手段は、前記タッチパネルに対してユーザの手の側面を接触させながら前記ペンによる入力操作を行った場合における、前記手の側面と前記タッチパネルとの接触面積の最小値を前記第１閾値とする請求項４記載の情報処理装置。
【請求項７】
前記ペンによる入力操作が行われている間は、前記ペン以外による前記タッチパネルへの入力操作を受け付けないタッチパネル制御手段を備える請求項１から請求項６の何れか１項記載の情報処理装置。
【請求項８】
指示体としてペン及び指による入力操作を受け付けるタッチパネルと、
前記ペンが使用される状態である場合、前記ペンが使用されない状態に比べて、前記タッチパネルへの接触が入力操作でないとする接触面積の閾値を小さくする制御手段と、
を備える情報処理装置。
【請求項９】
指示体としてペン及び指による入力操作を受け付けるタッチパネルと、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置のタッチパネル感度制御方法であって、
前記ペンが使用される状態であるペンモードを認識する第１工程と、
前記第１工程によって前記ペンモードと認識した場合、前記閾値として前記ペンモードに応じた第１閾値を設定する第２工程と、
を有するタッチパネル感度制御方法。
【請求項１０】
指示体としてペン及び指による入力操作を受け付けるタッチパネルを備える情報処理装置のタッチパネル感度制御方法であって、
前記ペンが使用される状態である場合、前記ペンが使用されない状態に比べて、前記タッチパネルへの接触が入力操作でないとする接触面積の閾値を小さくする、
タッチパネル感度制御方法。
【請求項１１】
指示体としてペン及び指による入力操作を受け付けるタッチパネルと前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置が有するコンピュータを、
前記ペンが使用される状態であるペンモードを認識する認識手段と、
前記認識手段によって前記ペンモードと認識された場合、前記閾値として前記ペンモードに応じた第１閾値を設定する設定手段と、
して機能させるプログラム。
【請求項１２】
指示体としてペン及び指による入力操作を受け付けるタッチパネルを備える情報処理装置が有するコンピュータを、
前記ペンが使用される状態である場合、前記ペンが使用されない状態に比べて前記タッチパネルへの接触が入力操作でないとする接触面積の閾値を小さくする制御手段と、
して機能させるプログラム。
【発明の詳細な説明】
【技術分野】
【０００１】
本発明は、情報処理装置、タッチパネル感度制御方法、及びプログラムに関するものである。
【背景技術】
【０００２】
近年、指示体としてペン及び指による入力操作を受け付けるタッチパネルを備える情報処理装置が普及している。
【０００３】
特許文献１には、略箱形状の筐体の表面に静電容量式のタッチパネルを収納すると共に、筐体の内部にタッチパネルの表示及び座標検出を制御する駆動検出部等の各種電子部品を搭載した基板を収納し、指又はタッチペンにより、座標入力が可能に構成されているタブレット型コンピュータが開示されている。
【０００４】
特許文献１に開示されているようなタッチパネルでは、ペンによる入力操作の際に、ペンを把持した手の側面、例えば小指等がタッチパネルに接触し、この接触がユーザの意図しないタッチパネルへの入力と認識される場合がある。
【０００５】
このような誤入力を抑制するために、ペン先がタッチパネルに触れている間は、他の接触を入力として認識させない手法（以下「第１手法」という。）や、タッチパッドに予め定められた閾値を超えるような大きな物体が接触している状態ではこの接触を入力として認識させない手法（以下「第２手法」という。）がある。
【先行技術文献】
【特許文献】
【０００６】
【特許文献１】特開２０１６−２１１３４号公報
【発明の概要】
【発明が解決しようとする課題】
【０００７】
しかしながら、第１手法は、タッチパネルに対してペン先よりも手の側面が先に接触した場合には機能しない。
【０００８】
また、ペンによる入力操作を行う間、ユーザはペンを把持した手の指先を小刻みに動かすので、手の側面等がタッチパネルに接触する位置や大きさも小刻みに変化する。このため、タッチパネルに手の側面が接触する接触面積が常に大きいとは限らず、第２手法では、誤入力を防止できない場合がある。さらに、上記閾値を小さくすると、指による接触が入力として認識され難くなる。
【０００９】
本発明は、このような事情に鑑みてなされたものであって、ペンによる入力操作の際に、ペンを把持した手がタッチパネルに接触したことを起因とする誤入力をより抑制できる、情報処理装置、タッチパネル感度制御方法、及びプログラムを提供することを目的とする。
【課題を解決するための手段】
【００１０】
上記課題を解決するために、本発明の情報処理装置、タッチパネル感度制御方法、及びプログラムは以下の手段を採用する。
【００１１】
本発明の第一態様に係る情報処理装置は、指示体としてペン及び指による入力操作を受け付けるタッチパネルと、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、前記ペンが使用される状態であるペンモードを認識する認識手段と、前記認識手段によって前記ペンモードと認識された場合、前記閾値として前記ペンモードに応じた第１閾値を設定する設定手段と、を備える。
【００１２】
本発明の第二態様に係る情報処理装置は、指示体としてペン及び指による入力操作を受け付けるタッチパネルと、前記ペンが使用される状態である場合、前記ペンが使用されない状態に比べて、前記タッチパネルへの接触が入力操作でないとする接触面積の閾値を小さくする制御手段と、を備える。
【００１３】
本発明の第三態様に係るタッチパネル感度制御方法は、指示体としてペン及び指による入力操作を受け付けるタッチパネルと、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置のタッチパネル感度制御方法であって、前記ペンが使用される状態であるペンモードを認識する第１工程と、前記第１工程によって前記ペンモードと認識した場合、前記閾値として前記ペンモードに応じた第１閾値を設定する第２工程と、を有する。
【００１４】
本発明の第四態様に係るタッチパネル感度制御方法は、指示体としてペン及び指による入力操作を受け付けるタッチパネルを備える情報処理装置のタッチパネル感度制御方法であって、前記ペンが使用される状態である場合、前記ペンが使用されない状態に比べて、前記タッチパネルへの接触が入力操作でないとする接触面積の閾値を小さくする。
【００１５】
本発明の第四態様に係るプログラムは、指示体としてペン及び指による入力操作を受け付けるタッチパネルと前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置が有するコンピュータを、前記ペンが使用される状態であるペンモードを認識する認識手段と、前記認識手段によって前記ペンモードと認識された場合、前記閾値として前記ペンモードに応じた第１閾値を設定する設定手段と、して機能させる。
【００１６】
本発明の第五態様に係るプログラムは、指示体としてペン及び指による入力操作を受け付けるタッチパネルを備える情報処理装置が有するコンピュータを、前記ペンが使用される状態である場合、前記ペンが使用されない状態に比べて前記タッチパネルへの接触が入力操作でないとする接触面積の閾値を小さくする制御手段と、して機能させる。
【発明の効果】
【００１７】
本発明によれば、ペンによる入力操作の際に、ペンを把持した手がタッチパネルに接触したことを起因とする誤入力をより抑制できる、という効果を有する。
【図面の簡単な説明】
【００１８】
【図１】本発明の実施形態に係るノートＰＣの概略外観図である。
【図２】本発明の実施形態に係る格納部の拡大概略図である。
【図３】本発明の実施形態に係るノートＰＣの電気的構成を示すブロック図である。
【図４】タッチペンによるタッチパネルディスプレイへの入力操作を示す図である。
【図５】タッチパネルディスプレイへの誤入力の状態を示す図である。
【図６】本発明の実施形態に係るタッチ入力感度制御機能に関する機能ブロック図である。
【図７】本発明の実施形態に係るタッチ入力感度制御機能に関する処理の流れを示すフローチャートである。
【図８】本発明の実施形態に係るペンモードＰＲサイズの校正に関する処理の流れを示すフローチャートである。
【図９】本発明の実施形態に係るペンモードＰＲサイズの校正に関する処理の流れを示すフローチャートである。
【発明を実施するための形態】
【００１９】
以下に、本発明に係る情報処理装置、タッチパネル感度制御方法、及びプログラムの一実施形態について、図面を参照して説明する。
【００２０】
図１は、本実施形態に係るノートＰＣ１の概略外観図である。
【００２１】
図１は、本実施形態に係る情報処理装置であるノートブック型パーソナル・コンピュータ（以下「ノートＰＣ」という。）１の概略外観図である。
【００２２】
ノートＰＣ１は、図１に示すように一例として、いずれも略直方体である本体側筐体２及びディスプレイ側筐体３を備える。
【００２３】
本体側筐体２は、入力部４を備える。入力部４は、ユーザが入力操作を行うためのユーザインターフェースであり、文字、コマンド等を入力する各種キーより構成されるキーボードや、画面上のカーソルを移動させたり、各種メニューを選択するタッチパッド、マウス、又はトラックポイント等を備えている。
【００２４】
ディスプレイ側筐体３は、画像を表示するタッチパネルディスプレイ７を備える。
タッチパネルディスプレイ７は、入力される表示データをビデオ信号に変換し、変換したビデオ信号に応じた各種情報を表示画面に表示すると共に、ユーザの指及び後述するタッチペン１０等の指示体を用いて行われる各種操作を検出する。
【００２５】
本体側筐体２及びディスプレイ側筐体３は、それぞれの端部で左右一対の連結部８ａ，８ｂによって連結されている。連結部８ａ，８ｂは、ヒンジであり、本体側筐体２及びディスプレイ側筐体３を開閉自在に支持している。
【００２６】
ノートＰＣ１は、本体側筐体２の一側面にタッチペン１０を格納する格納部９が内蔵されている。タッチペン１０は、使用される場合に格納部９から取り出され、使用されない場合には格納部９に格納される。
【００２７】
タッチペン１０は、ユーザが携帯でき、かつユーザによって把持されてノートＰＣ１の入力デバイスとして使用される指示体である。なお、タッチペン１０の種類は特に限定されず、パッシブ式、アクティブ式、又は他の種類であってもよい。
【００２８】
図２は、格納部９の拡大概略図である。
【００２９】
格納部９には、格納検知スイッチ１１が設けられている。格納検知スイッチ１１は、格納部９へのタッチペン１０の格納の有無を検知する。より具体的には、タッチペン１０が格納部９に格納されると、格納検知スイッチ１１が本体側筐体２の内部方向（図２のＡ方向）へ押し下げられる。一方、タッチペン１０が格納部９から取り出されると、格納検知スイッチ１１が格納部９の内部方向（図２のＢ方向）へ押し上げられる。すなわち、格納検知スイッチ１１は、押し上げられることで、タッチペン１０が取り出されたことを検知し、格納検知スイッチ１１は、押し下げられることで、タッチペン１０が格納されたことを検知する。なお、格納検知スイッチ１１が押し上げられた状態をオフ状態ともいい、格納検知スイッチ１１が押し下げられた状態をオン状態ともいう。
【００３０】
図３は、ノートＰＣ１のハードウェアの構成を示す概略図である。
【００３１】
ノートＰＣ１は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、入力コントローラ２６、フラッシュメモリ２７、通信デバイス２８、及び電源回路２９を備えており、各部はバス３０を介して直接または間接的に接続されている。なお、タッチパネルディスプレイ７は、ＬＣＤ２３とタッチセンサ２５を含んで構成される。
【００３２】
ＣＰＵ２０は、フラッシュメモリ２７に格納されたＯＳ（Operating  System）によりノートＰＣ１全体の制御を行うと共に、フラッシュメモリ２７に格納された各種のプログラムに基づいて、入力部４やタッチパネルディスプレイ７等を介したユーザの操作に応じた処理を実行する機能を有する。また、ＣＰＵ２０は、格納検知スイッチ１１の検知結果が入力される。
【００３３】
ＲＯＭ２１は、ＢＩＯＳ（Basic  Input/Output  System）や各種データ等を格納している。
【００３４】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００３５】
ＬＣＤ２３は、ＣＰＵ２０の制御に従って、グラフィクスアダプタ２４からのビデオ信号を画像として表示する。
【００３６】
グラフィクスアダプタ２４は、ＣＰＵ２０の制御に従って、表示情報をビデオ信号に変換し、変換したビデオ信号をＬＣＤ２３に出力する。
【００３７】
タッチセンサ２５は、ＬＣＤ２３へのユーザの指及びタッチペン１０等の接触位置を検出して、入力コントローラ２６に出力する。そして、タッチセンサ２５は、ＬＣＤ２３の画面に表示される各種メニュー、アイコン、ボタン、及びキーボード等の画面オブジェクトを選択して入力操作を行ったり、テキストの入力操作や、スクロールやスワイプ等の画面操作がユーザの指やタッチペン１０等により行われる。なお、本実施形態に係るタッチセンサ２５は、一例として、タッチペン１０による接触位置を電磁誘導方式により検出し、指による接触位置を静電容量方式により検出する、所謂、２レイヤーにより接触位置を検出するが、タッチセンサ２５による接触位置の検出方式はこれに限られない。
【００３８】
なお、以下の説明において、タッチペン１０による入力操作をペン入力ともいい、指による入力操作をタッチ入力ともいう。
【００３９】
入力コントローラ２６は、プロセッサがＲＯＭ２１等に格納されたプログラムを実行することにより各種処理を行い、タッチセンサ２５の動作を制御する。
【００４０】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００４１】
通信デバイス２８は、他のデバイスとの間との通信を行う。
【００４２】
電源回路２９は、ＡＣアダプタ、電池、電池を充電するための充電器、及びＤＣ／ＤＣコンバータ等を備えており、ＣＰＵ２０の制御に従って、各デバイスに電力を供給する。
【００４３】
ここで、図４に示すように、タッチパネルディスプレイ７へのペン入力の際に、タッチペン１０を把持した手の側面、例えば掌の側面や薬指、小指等（図４の破線で囲まれた領域）がタッチパネルディスプレイ７に接触し、この接触がユーザの意図しないタッチパネルディスプレイ７への入力と認識される場合がある。
【００４４】
この結果、図５に示されるように、例えば、画像描画プログラムを起動してタッチペン１０によって文字入力を行う場合等に、ユーザが意図したタッチペン１０による入力（領域Ａ内の入力）の他に、誤認識された入力（領域Ｂ内の入力）が行われることとなる。
【００４５】
そこで、本実施形態に係るノートＰＣ１は、タッチペン１０が使用される状態であるペンモードの場合に、指によるタッチ入力の感度を低下させる制御を行うことで、誤入力を抑制するタッチ入力感度制御機能を有する。
【００４６】
図６は、本実施形態に係るタッチ入力感度制御機能に関する機能ブロック図である。ＣＰＵ２０は、ペンモード認識部４０、ＰＲサイズ設定部４１、及びキャリブレーション部４２を備える。ＣＰＵ２０が備えるこれら各部は、プログラムによって実現される。
【００４７】
ペンモード認識部４０は、タッチペン１０が使用される状態であるペンモードを認識する。本実施形態では、ペンモード認識部４０は、格納検知スイッチ１１がオフ状態となった場合にペンモードであると認識する。このように、ペンモードは、ユーザがタッチペン１０によりペン入力を行っている最中のみならず、格納部９からタッチペン１０が取り出された状態のように、タッチペン１０の使用意図をユーザが有する状態である。
【００４８】
ＰＲサイズ設定部４１は、ＰＲ（Palm Rejection）サイズを設定する。ＰＲサイズとは、タッチパネルディスプレイ７への接触が入力操作でないとする接触面積の所定の閾値である。すなわち、ＰＲサイズよりも広い接触面積の入力操作があった場合、それはパーム（掌）等の接触であるとされ、入力操作として扱われない（所謂、パームリジェクション機能）。なお、以下の説明において、指等がタッチパネルディスプレイ７へ接触した場合の接触面積をタッチ面積ともいう。
【００４９】
ＰＲサイズは、フラッシュメモリ２７に予め記憶されている。フラッシュメモリ２７には、ＰＲサイズとして、ペンモードに応じたＰＲサイズであるペンモードＰＲサイズ、ペンモードでないモード、すなわち、タッチ入力のみ行われるモード（以下「通常モード」という。）に応じた通常モードＰＲサイズが記憶されている。なお、本実施形態では、格納検知スイッチ１１がオン状態となった場合に、通常モードと認識される。また、フラッシュメモリ２７に記憶されているＰＲサイズは、処理速度を向上させるために、ノートＰＣ１の起動時にメモリ２２にコピー（キャッシュ）され、メモリ２２にコピーされたＰＲサイズが使用されてもよい。
【００５０】
ペンモードＰＲサイズは、通常モードＰＲサイズよりも小さい値とされている。一例として、通常モードＰＲサイズは１５ｃｍ２とされ、ペンモードＰＲサイズは、例えば、一辺が１．５ｃｍ以上５ｃｍ以下、好ましくは面積として４ｃｍ２とされる。また、一例として、ペンモードＰＲサイズは、縦横比が同じとものとして設定される一方、通常モードＰＲサイズは、横（指の幅方向）が縦よりも長いものとして設定される。このように、ペンモードＰＲサイズを通常モードＰＲサイズより小さくすることで、ペンモードＰＲサイズが設定された場合にタッチ入力の感度が低下することとなる。
【００５１】
また、一例として、通常モードＰＲサイズはユーザ毎に同一とする。一方、ペンモードＰＲサイズはユーザ毎に設定した値としてもよいし、ユーザ毎に同一としてもよい。
【００５２】
そして、ＰＲサイズ設定部４１は、ペンモード認識部４０によってペンモードと認識された場合、ＰＲサイズとしてペンモードＰＲサイズをフラッシュメモリ２７（メモリ２２）から読み出して設定する。一方、ペンモードと認識されていない場合（通常モードの場合）、ＰＲサイズ設定部４１は、ペンモードＰＲサイズよりも大きい通常モードＰＲサイズをフラッシュメモリ２７（メモリ２２）から読み出して設定する。ＰＲサイズ設定部４１は、設定したＰＲサイズを入力コントローラ２６へ出力する。このように、ＰＲサイズ設定部４１は、ペンモード認識部４０によって通常モードからペンモードと認識された場合、通常モードＰＲサイズをペンモードＰＲサイズに変更し、その後、通常モードと認識された場合、ペンモードＰＲサイズから通常モードＰＲサイズに変更する。
【００５３】
そして、入力コントローラ２６は、タッチパネルディスプレイ７への指やタッチペン１０等の指示体の所定時間内のタッチ面積を検知し、タッチ面積がＰＲサイズよりも大きい場合に、所定時間内の指示体の接触を入力操作として扱わない操作判定手段として機能する。なお、所定時間は、予め任意に設定された値であり、例えば１０ｍｓｅｃ秒である。
【００５４】
このように、ＣＰＵ２０は、ペンモードである場合、ペンモードでない通常モードに比べて、タッチパネルディスプレイ７への接触が入力操作でないとするＰＲサイズを小さくする。
【００５５】
また、キャリブレーション部４２は、タッチパネルディスプレイ７へのユーザの指又は手の接触状態に応じてペンモードＰＲサイズを校正する。
【００５６】
図７は、実施形態に係るタッチ入力感度制御機能の処理の流れを示すフローチャートである。本処理は、ノートＰＣ１が起動すると開始する。なお、ノートＰＣ１が起動した直後は、ＰＲサイズとして通常モードＰＲサイズが設定されている。
【００５７】
まず、ステップ１００では、ペンモード認識部４０がペンモードであるか否かを判定し、肯定判定の場合はステップ１０２へ移行する。なお、否定判定の場合は通常モードである。
【００５８】
次のステップ１０２では、ＰＲサイズ設定部４１がＰＲサイズをペンモードＰＲサイズに設定することで、ＰＲサイズを通常モードＰＲサイズからより閾値の小さいペンモードＰＲサイズへ変更する。設定されたペンモードＰＲサイズは、入力コントローラ２６へ出力される。ステップ１０２が実行されることによって、実際にペン入力を行うよりも前にＰＲサイズが小さくなるので、タッチ入力の感度が低下する。従って、タッチペン１０のペン先よりも手の側面が先にタッチパネルディスプレイ７に接触することによる誤入力が抑制される。なお、ペンモードＰＲサイズがユーザ毎に設定されている場合、ＰＲサイズ設定部４１は、ユーザに対応したペンモードＰＲサイズをフラッシュメモリ２７（メモリ２２）から読み出して設定する。
【００５９】
次のステップ１０４では、タッチペン１０による入力操作（ペン入力）が開始されたか否かを判定し、肯定判定の場合はステップ１０６へ移行する。
【００６０】
ステップ１０６では、指による入力操作（タッチ入力）の受け付けを停止する。より具体的には、静電容量方式によるタッチセンサ２５の機能を停止する。
【００６１】
次のステップ１０８では、ペン入力の開始から所定時間経過したか否かを判定し、肯定判定の場合はステップ１１０へ移行する。
【００６２】
ステップ１１０では、タッチ入力の受け付けの停止を解除する。より具体的には、静電容量方式によるタッチセンサ２５の機能を再開する。すなわち、ステップ１０８において否定判定の場合はタッチ入力はできないため、ペン入力を行っている場合において、ユーザの手の側面がタッチパネルディスプレイ７に接触することによる誤入力が防止される。
【００６３】
次のステップ１１２では、ペンモード認識部４０によってタッチペン１０が格納部９に格納されたか否かを判定し、肯定判定の場合はステップ１１４へ移行する。肯定判定の場合とは、通常モードとなった状態である。一方、否定判定の場合はステップ１０４へ戻る。
【００６４】
ステップ１１４では、通常モードであるので、ＰＲサイズ設定部４１がＰＲサイズを通常モードＰＲサイズに設定することで、変更したＰＲサイズを通常モードＰＲサイズに戻す。
【００６５】
以上説明したように、本実施形態に係るノートＰＣ１は、指示体としてタッチペン１０及び指による入力操作を受け付けるタッチパネルディスプレイ７と、タッチパネルディスプレイ７への接触が入力操作でないとするタッチ面積の閾値であるＰＲサイズを記憶するフラッシュメモリ２７と、を備える。そして、ノートＰＣ１は、タッチペン１０が使用される状態であるペンモードを認識した場合、ペンモードに応じたＰＲサイズであるペンモードＰＲサイズを設定する。
【００６６】
このように、本実施形態に係るノートＰＣ１は、ペンモードとなった場合に、タッチ入力に対する感度が低下するように、ペンモードに応じたＰＲサイズであるペンモードＰＲサイズを設定するので、タッチペン１０を把持した手がタッチパネルディスプレイ７に接触したことを起因とする誤入力をより抑制できる。
【００６７】
図８，９は、キャリブレーション部４２によって実行される本実施形態に係るペンモードＰＲサイズの校正に関する処理の流れを示すフローチャートである。ペンモードＰＲサイズの校正は、例えば、ノートＰＣ１にログインするためのユーザアカウントを設定する場合に実行される。ペンモードＰＲサイズの校正を行う場合、タッチパネルディスプレイ７には、ユーザのタッチ入力を促すための画像が適宜表示される。なお、ペンモードＰＲサイズの校正としては、図８，９に示される処理のうち、何れか一方のみが実行されればよく、何れを実行するかはユーザが選択してもよい。
【００６８】
図８に示されるペンモードＰＲサイズの校正は、タッチパネルディスプレイ７に対してユーザの指先が接触した場合における、指先とタッチパネルディスプレイ７とのタッチ面積の最大値を、そのユーザに対応するペンモードＰＲサイズとする。
【００６９】
まず、ステップ２００では、ユーザの指先のタッチ入力によるタッチ面積を取得する。より具体的には、ユーザがタッチパネルディスプレイ７を指先でタッチ入力しながら連続して指を動かした場合における軌跡の幅を連続して検知し、検知した幅を一辺とした正方形の面積をタッチ面積とする。
【００７０】
次のステップ２０２では、取得したタッチ面積の最大値が更新されたか否かを判定し、肯定判定の場合はステップ２０４へ移行し、否定判定の場合はステップ２０６へ移行する。
【００７１】
ステップ２０４では、更新したタッチ面積の最大値を、ユーザに対応するペンモードＰＲサイズとしてフラッシュメモリ２７に記憶し、ステップ２０６へ移行する。
【００７２】
ステップ２０６では、所定時間（例えば３０秒）経過したか否かを判定し、肯定判定の場合はペンモードＰＲサイズの校正を終了する。一方、否定判定の場合はステップ２００へ戻り、所定時間が経過するまで、ユーザにタッチ入力しながら連続して指を移動するように促す。
【００７３】
図９に示されるペンモードＰＲサイズの校正は、タッチパネルディスプレイ７に対してユーザの手の側面を接触させながらタッチペン１０によるペン入力を行った場合における、ユーザの手の側面とタッチパネルディスプレイ７とのタッチ面積の最小値を、そのユーザに対応するペンモードＰＲサイズとする。
【００７４】
まず、ステップ３００では、ユーザの手の側面がタッチパネルディスプレイ７に接触することによるタッチ面積を取得する。より具体的には、ユーザがタッチパネルディスプレイ７に対してユーザの手の側面を接触させながらペン入力を行った場合における、ユーザの手の側面とタッチパネルディスプレイ７とのタッチ面積を連続して検知する。
【００７５】
次のステップ３０２では、取得したタッチ面積の最小値が更新されたか否かを判定し、肯定判定の場合はステップ３０４へ移行し、否定判定の場合はステップ３０６へ移行する。
【００７６】
ステップ３０４では、更新したタッチ面積の最小値を、ユーザに対応するペンモードＰＲサイズとしてフラッシュメモリ２７に記憶し、ステップ３０６へ移行する。
【００７７】
ステップ３０６では、所定時間（例えば３０秒）経過したか否かを判定し、肯定判定の場合はペンモードＰＲサイズの校正を終了する。一方、否定判定の場合はステップ３００へ戻り、所定時間が経過するまで、タッチパネルディスプレイ７に対してユーザの手の側面を接触させながらペン入力を行うように促す。
【００７８】
このように、ユーザ毎に、ペンモードＰＲサイズを校正することによって、ペンモードＰＲサイズが設定されてタッチ入力の感度が低くなっても、ユーザのタッチ入力の操作感が低下することを抑制できる。
【００７９】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００８０】
例えば、上記実施形態では、指示体としてペン及び指による入力操作を受け付けるタッチパネルをタッチパネルディスプレイ７とする形態について説明したが、本発明は、これに限定されるものではなく、指示体としてペン及び指による入力操作を受け付けるタッチパネルをタッチパッドとしてもよい。
【００８１】
また、上記実施形態では、情報処理装置をノートＰＣ１とする形態について説明したが、本発明は、これに限定されるものではなく、情報処理装置をデスクトップ型ＰＣ、タブレット型ＰＣ、ＰＤＡ（Personal Digital
Assistance）、及びスマートフォン等の情報処理装置としてもよい。
【００８２】
また、上記実施形態では、タッチペン１０を使用しない通常モードにおいてＰＲサイズとして通常モードＰＲサイズを設定し、パームリジェクション機能を実行する形態について説明したが、本発明は、これに限定されるものではない。例えば、通常モードでは、パームリジェクション機能を実行せず、ペンモードの場合にのみ、ペンモードＰＲサイズを設定し、パームリジェクション機能を実行する形態としてもよい。
【００８３】
また、上記実施形態では、格納部９へのタッチペン１０の格納の有無を検知する検知手段を格納検知スイッチ１１とする形態について説明したが、本発明は、これに限定されるものではない。検知手段は、タッチペン１０の格納の有無を検知できればよく、例えば、タッチペン１０に磁石を設置し、上記検知手段として磁力を検知するホール素子を格納部９に設置してもよい。
【００８４】
また、上記実施形態では、ノートＰＣ１に格納部９が内蔵されている形態について説明したが、本発明は、これに限定されるものではない。例えば、格納部９として、ＵＳＢ（Universal  Serial  Bus）に取り付け可能な外付けのペンホルダによってタッチペン１０が格納されてもよい。この形態の場合、例えば、ペンホルダに格納検知スイッチ１１が設けられ、格納検知スイッチ１１の検知結果がＵＳＢを介してノートＰＣ１に入力される。
【００８５】
また、上記実施形態では、ペンモード認識部４０は格納検知スイッチ１１による検知結果に基づいてペンモードを認識する形態について説明したが、本発明は、これに限定されるものではない。例えば、タッチパネルディスプレイ７がペンモードの開始を示す画像を表示し、ユーザがこの画像にタッチした場合に、ペンモード認識部４０がペンモードを認識してもよい。また、タッチペン１０にユーザによって把持されたことを検知するセンサ又はユーザにより操作されるスイッチが設けられ、ノートＰＣ１がこのセンサによる検知結果又はスイッチの操作状態を示す信号をタッチペン１０から受信し、ペンモード認識部４０は、受信した信号に基づいてペンモードを認識してもよい。
【００８６】
また、ＰＲサイズ設定部４１は、ペンモード認識部４０によってペンモードと認識された場合、例えば、ペンモードＰＲサイズの値を０とすることで、タッチパネルディスプレイ７へのタッチ入力を受け付けないように設定してもよい。
【００８７】
また、上記実施形態で説明した図７から図９に示された処理の流れも一例であり、本発明の主旨を逸脱しない範囲内において不要なステップを削除したり、新たなステップを追加したり、処理順序を入れ替えたりしてもよい。
【符号の説明】
【００８８】
１    ノートＰＣ（情報処理装置）
７    タッチパネルディスプレイ（タッチパネル）
９    格納部（格納手段）
１０  タッチペン（ペン）
１１  格納検知スイッチ（検知手段）
２０  ＣＰＵ（制御手段）
２６  入力コントローラ（タッチパネル制御手段、操作判定手段）
２７  フラッシュメモリ（記憶手段）
４０  ペンモード認識部（認識手段）
４１  ＰＲサイズ設定部（設定手段）
４２  キャリブレーション部（校正手段）
【図１】
2018032251.tif 000003
【図２】
2018032251.tif 000004
【図３】
2018032251.tif 000005
【図４】
2018032251.tif 000006
【図５】
2018032251.tif 000007
【図６】
2018032251.tif 000008
【図７】
2018032251.tif 000009
【図８】
2018032251.tif 000010
【図９】
2018032251.tif 000011
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
指示体としてペン及び指による入力操作を受け付けるタッチパネルと、
前記タッチパネルへの前記指示体の所定時間内の接触面積を検知し、前記接触面積が所定の閾値よりも大きい場合に、前記所定時間内の前記指示体の接触を入力操作として扱わない操作判定手段と、
前記閾値を記憶する記憶手段と、
前記ペンが使用される状態であるペンモードを認識する認識手段と、
前記認識手段によって前記ペンモードと認識された場合、前記閾値として前記ペンモードに応じた第１閾値を設定する設定手段と、
ユーザが前記タッチパネルに手の側面を接触させながら前記ペンを動かして入力操作を行った場合に、前記手の側面と前記タッチパネルとの接触面積を所定時間継続して取得し、取得した接触面積の最小値を前記第１閾値とする校正手段と、
を備える情報処理装置。
【請求項２】
前記設定手段は、前記認識手段によって前記ペンモードと認識されていない場合、前記第１閾値よりも大きい第２閾値を設定する請求項１記載の情報処理装置。
【請求項３】
前記ペンを格納する格納手段と、
前記格納手段への前記ペンの格納の有無を検知する検知手段と、
を備え、
前記認識手段は、前記ペンが前記格納手段に格納されていないと前記検知手段によって検知された場合、前記ペンモードであると認識する請求項１又は請求項２記載の情報処理装置。
【請求項４】
前記校正手段は、ユーザ毎に前記第１閾値を校正する請求項１から請求項３の何れか１項記載の情報処理装置。
【請求項５】
前記校正手段は、タッチパネルディスプレイに対してユーザの指先が接触した場合における、前記指先と前記タッチパネルとの接触面積の最大値を前記第１閾値とする請求項４記載の情報処理装置。
【請求項６】
前記ペンによる入力操作が行われている間は、前記ペン以外による前記タッチパネルへの入力操作を受け付けないタッチパネル制御手段を備える請求項１から請求項５の何れか１項記載の情報処理装置。
【請求項７】
指示体としてペン及び指による入力操作を受け付けるタッチパネルと、
前記ペンが使用される状態であるペンモードを認識する認識手段と、
前記ペンモードの場合に、前記タッチパネルへの前記指示体の所定時間内の接触面積を検知し、前記接触面積が所定の閾値よりも大きい場合に、前記所定時間内の前記指示体の接触を入力操作として扱わない操作判定手段と、
前記ペンモードにおいて、ユーザが手の側面を前記タッチパネルに接触させながら前記ペンを動かして入力操作を行った場合に、前記手の側面と前記タッチパネルとの接触面積を所定時間継続して取得し、取得した前記接触面積の最小値を前記閾値とする校正手段と、
を備える情報処理装置。
【請求項８】
指示体としてペン及び指による入力操作を受け付けるタッチパネルと、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置のタッチパネル感度制御方法であって、
前記ペンが使用される状態であるペンモードを認識する第１工程と、
前記第１工程によって前記ペンモードと認識した場合、前記閾値として前記ペンモードに応じた第１閾値を設定する第２工程と、
ユーザが前記タッチパネルに手の側面を接触させながら前記ペンを動かして入力操作を行った場合に、前記手の側面と前記タッチパネルとの接触面積を所定時間継続して取得し、取得した接触面積の最小値を前記第１閾値とする第３工程と、
を有するタッチパネル感度制御方法。
【請求項９】
指示体としてペン及び指による入力操作を受け付けるタッチパネルを備える情報処理装置のタッチパネル感度制御方法であって、
前記ペンが使用される状態であるペンモードを認識する第１工程と、
前記ペンモードの場合に、前記タッチパネルへの前記指示体の所定時間内の接触面積を検知し、前記接触面積が所定の閾値よりも大きい場合に、前記所定時間内の前記指示体の接触を入力操作として扱わない第２工程と、
前記ペンモードにおいて、ユーザが手の側面を前記タッチパネルに接触させながら前記ペンを動かして入力操作を行った場合に、前記手の側面と前記タッチパネルとの接触面積を所定時間継続して取得し、取得した前記接触面積の最小値を前記閾値とする第３工程と、
を有するタッチパネル感度制御方法。
【請求項１０】
指示体としてペン及び指による入力操作を受け付けるタッチパネルと前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置が有するコンピュータを、
前記ペンが使用される状態であるペンモードを認識する認識手段と、
前記認識手段によって前記ペンモードと認識された場合、前記閾値として前記ペンモードに応じた第１閾値を設定する設定手段と、
ユーザが前記タッチパネルに手の側面を接触させながら前記ペンを動かして入力操作を行った場合に、前記手の側面と前記タッチパネルとの接触面積を所定時間継続して取得し、取得した接触面積の最小値を前記第１閾値とする校正手段と、
して機能させるプログラム。
【請求項１１】
指示体としてペン及び指による入力操作を受け付けるタッチパネルを備える情報処理装置が有するコンピュータを、
前記ペンが使用される状態であるペンモードを認識する認識手段と、
前記ペンモードの場合に、前記タッチパネルへの前記指示体の所定時間内の接触面積を検知し、前記接触面積が所定の閾値よりも大きい場合に、前記所定時間内の前記指示体の接触を入力操作として扱わない操作判定手段と、
前記ペンモードにおいて、ユーザが手の側面を前記タッチパネルに接触させながら前記ペンを動かして入力操作を行った場合に、前記手の側面と前記タッチパネルとの接触面積を所定時間継続して取得し、取得した前記接触面積の最小値を前記閾値とする校正手段と、
して機能させるプログラム。
【手続補正２】
【補正対象書類名】明細書
【補正対象項目名】００１１
【補正方法】変更
【補正の内容】
【００１１】
本発明の第一態様に係る情報処理装置は、指示体としてペン及び指による入力操作を受け付けるタッチパネルと、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、前記ペンが使用される状態であるペンモードを認識する認識手段と、前記認識手段によって前記ペンモードと認識された場合、前記閾値として前記ペンモードに応じた第１閾値を設定する設定手段と、ユーザが前記タッチパネルに手の側面を接触させながら前記ペンを動かして入力操作を行った場合に、前記手の側面と前記タッチパネルとの接触面積を所定時間継続して取得し、取得した接触面積の最小値を前記第１閾値とする校正手段と、を備える。
【手続補正３】
【補正対象書類名】明細書
【補正対象項目名】００１２
【補正方法】変更
【補正の内容】
【００１２】
本発明の第二態様に係る情報処理装置は、指示体としてペン及び指による入力操作を受け付けるタッチパネルと、前記ペンが使用される状態であるペンモードを認識する認識手段と、前記ペンモードの場合に、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記ペンモードにおいて、ユーザが手の側面を前記タッチパネルに接触させながら前記ペンを動かして入力操作を行った場合に、前記手の側面と前記タッチパネルとの接触面積を所定時間継続して取得し、取得した前記接触面積の最小値を前記閾値とする校正手段と、を備える。
【手続補正４】
【補正対象書類名】明細書
【補正対象項目名】００１３
【補正方法】変更
【補正の内容】
【００１３】
本発明の第三態様に係るタッチパネル感度制御方法は、指示体としてペン及び指による入力操作を受け付けるタッチパネルと、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置のタッチパネル感度制御方法であって、前記ペンが使用される状態であるペンモードを認識する第１工程と、前記第１工程によって前記ペンモードと認識した場合、前記閾値として前記ペンモードに応じた第１閾値を設定する第２工程と、ユーザが前記タッチパネルに手の側面を接触させながら前記ペンを動かして入力操作を行った場合に、前記手の側面と前記タッチパネルとの接触面積を所定時間継続して取得し、取得した接触面積の最小値を前記第１閾値とする第３工程と、を有する。
【手続補正５】
【補正対象書類名】明細書
【補正対象項目名】００１４
【補正方法】変更
【補正の内容】
【００１４】
本発明の第四態様に係るタッチパネル感度制御方法は、指示体としてペン及び指による入力操作を受け付けるタッチパネルを備える情報処理装置のタッチパネル感度制御方法であって、前記ペンが使用される状態であるペンモードを認識する第１工程と、前記ペンモードの場合に、前記タッチパネルへの前記指示体の所定時間内の接触面積を検知し、前記接触面積が所定の閾値よりも大きい場合に、前記所定時間内の前記指示体の接触を入力操作として扱わない第２工程と、前記ペンモードにおいて、ユーザが手の側面を前記タッチパネルに接触させながら前記ペンを動かして入力操作を行った場合に、前記手の側面と前記タッチパネルとの接触面積を所定時間継続して取得し、取得した前記接触面積の最小値を前記閾値とする第３工程と、を有する。
【手続補正６】
【補正対象書類名】明細書
【補正対象項目名】００１５
【補正方法】変更
【補正の内容】
【００１５】
本発明の第五態様に係るプログラムは、指示体としてペン及び指による入力操作を受け付けるタッチパネルと前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記閾値を記憶する記憶手段と、を備える情報処理装置が有するコンピュータを、前記ペンが使用される状態であるペンモードを認識する認識手段と、前記認識手段によって前記ペンモードと認識された場合、前記閾値として前記ペンモードに応じた第１閾値を設定する設定手段と、ユーザが前記タッチパネルに手の側面を接触させながら前記ペンを動かして入力操作を行った場合に、前記手の側面と前記タッチパネルとの接触面積を所定時間継続して取得し、取得した接触面積の最小値を前記第１閾値とする校正手段と、して機能させる。
【手続補正７】
【補正対象書類名】明細書
【補正対象項目名】００１６
【補正方法】変更
【補正の内容】
【００１６】
本発明の第六態様に係るプログラムは、指示体としてペン及び指による入力操作を受け付けるタッチパネルを備える情報処理装置が有するコンピュータを、前記ペンが使用される状態であるペンモードを認識する認識手段と、前記ペンモードの場合に、前記タッチパネルへの前記指示体の所定時間内の接触面積を検知し、前記接触面積が所定の閾値よりも大きい場合に、前記所定時間内の前記指示体の接触を入力操作として扱わない操作判定手段と、前記ペンモードにおいて、ユーザが手の側面を前記タッチパネルに接触させながら前記ペンを動かして入力操作を行った場合に、前記手の側面と前記タッチパネルとの接触面積を所定時間継続して取得し、取得した前記接触面積の最小値を前記閾値とする校正手段と、して機能させる。